(57)【特許請求の範囲】
【請求項１】
電子機器に対して動作監視を行い、前記電子機器は、秘匿性が要求される屋内で用いられて該電子機器の動作状態を表す監視信号を出力する構成とされている電子機器監視システムであって、
前記電子機器から出力される前記監視信号を、該監視信号に含まれる情報の種類に対応して色の異なる複数の可視光に変換して前記屋内の空間に伝送させ、伝送された前記各可視光を受光して受光出力信号に変換して出力する光空間伝送手段と、
該光空間伝送手段から出力される前記受光出力信号に基づいて、前記電子機器に対する動作監視を行う監視装置とから構成されていることを特徴とする電子機器監視システム。
【請求項２】
前記光空間伝送手段は、
前記電子機器に取り付けられ、該電子機器から出力される前記監視信号を前記複数の可視光に変換して前記屋内の空間に伝送させる光信号送信部と、
伝送された前記各可視光を受光して前記受光出力信号に変換して出力する光信号受信部とから構成されていることを特徴とする請求項１記載の電子機器監視システム。
【請求項３】
前記光信号送信部は、
前記監視信号に基づいて駆動信号を出力する駆動部と、
該駆動部から出力される前記駆動信号に基づいて前記複数の可視光を発光して前記屋内の空間に伝送させる発光部とから構成され、
前記光信号受信部は、
前記屋内の空間に伝送された前記各可視光を受光して各受光電気信号に変換して出力する受光部と、
該受光部から出力される前記各受光電気信号を前記受光出力信号に変換する信号変換部とから構成されていることを特徴とする請求項２記載の電子機器監視システム。
【請求項４】
前記駆動部は、
前記監視信号が１つのシリアルデータの場合にパラレルデータに変換するシリアル／パラレル変換回路と、
前記監視信号が１つのシリアルデータの場合に前記シリアル／パラレル変換回路で変換された前記パラレルデータを入力する一方、前記監視信号が複数の独立したシリアルデータの場合にそのまま入力して複数の前記駆動信号を出力する発光素子駆動回路とから構成され、
前記発光部は、
該発光素子駆動回路から出力される前記各駆動信号に基づいて前記各可視光をそれぞれ発光する複数の発光素子から構成されていることを特徴とする請求項３記載の電子機器監視システム。
【請求項５】
前記受光部は、
前記各可視光を受光して前記各受光電気信号に変換して出力する複数の受光素子を有し、  前記信号変換部は、
前記各受光素子から出力される前記各受光電気信号に対して所定の増幅を行って各出力電気信号を出力する増幅部と、
該増幅部から出力される前記各出力電気信号をパラレルからシリアルに変換してシリアル出力信号を出力するパラレル／シリアル変換回路と、
前記増幅部から出力される前記各出力電気信号を時分割で多重化して多重化出力信号を出力するマルチプレクサ回路と、
前記監視信号が１つのシリアルデータの場合に前記シリアル出力信号を選択する一方、前記監視信号が複数の独立したシリアルデータの場合に前記多重化出力信号を選択して出力する選択部とから構成されていることを特徴とする請求項３又は４記載の電子機器監視システム。
【請求項６】
前記信号変換部は、
前記選択部から出力される前記シリアル出力信号又は前記多重化出力信号を電気信号から光信号に変換して前記受光出力信号として出力する電気／光変換回路を有し、
前記監視装置は、
前記電気／光変換回路から出力される前記受光出力信号を入力する構成とされていることを特徴とする請求項５記載の電子機器監視システム。
【請求項７】
電子機器に対して動作監視を行い、前記電子機器は、秘匿性が要求される屋内で用いられて該電子機器の動作状態を表す監視信号を出力する構成とされている電子機器監視システムに用いられる電子機器監視方法であって、
光空間伝送手段が、前記電子機器から出力される前記監視信号を、該監視信号に含まれる情報の種類に対応して色の異なる複数の可視光に変換して前記屋内の空間に伝送させ、伝送された前記各可視光を受光して受光出力信号に変換して出力する光空間伝送処理と、
監視装置が、前記光空間伝送手段から出力される前記受光出力信号に基づいて、前記電子機器に対する動作監視を行う監視処理とを行うことを特徴とする電子機器監視方法。
【請求項８】
前記光空間伝送処理では、
前記電子機器に取り付けられた光信号送信部が、前記電子機器から出力される前記監視信号を前記複数の可視光に変換して前記屋内の空間に伝送させる光信号送信処理と、
光信号受信部が、伝送された前記各可視光を受光して前記受光出力信号に変換して出力する光信号受信処理とを行うことを特徴とする請求項７記載の電子機器監視方法。
【請求項９】
前記光信号送信処理では、
駆動部が、前記監視信号に基づいて駆動信号を出力する駆動処理と、
発光部が、前記駆動部から出力される前記駆動信号に基づいて前記複数の可視光を発光して前記屋内の空間に伝送させる発光伝送処理とを行い、
前記光信号受信処理では、
受光部が、前記屋内の空間に伝送された前記各可視光を受光して各受光電気信号に変換して出力する受光処理と、
信号変換部が、前記受光部から出力される前記各受光電気信号を前記受光出力信号に変換する信号変換処理とを行うことを特徴とする請求項８記載の電子機器監視方法。
【請求項１０】
前記駆動処理では、
シリアル／パラレル変換回路が、前記監視信号が１つのシリアルデータの場合にパラレルデータに変換するシリアル／パラレル変換処理と、
発光素子駆動回路が、前記監視信号が１つのシリアルデータの場合に前記シリアル／パラレル変換回路で変換された前記パラレルデータを入力する一方、前記監視信号が複数の独立したシリアルデータの場合にそのまま入力して複数の前記駆動信号を出力する発光素子駆動処理とを行い、
前記発光伝送処理では、
複数の発光素子が、前記発光素子駆動回路から出力される前記各駆動信号に基づいて前記各可視光をそれぞれ発光することを特徴とする請求項９記載の電子機器監視方法。
【発明の詳細な説明】
【技術分野】
【０００１】
この発明は、電子機器監視システム及び該システムに用いられる電子機器監視方法に係り、たとえば防衛分野向けの通信機器など、秘匿性が要求される屋内に設置される電子機器に対して、動作を監視する場合に用いて好適な電子機器監視システム及び該システムに用いられる電子機器監視方法に関する。
【背景技術】
【０００２】
防衛分野向けの通信機器など、秘匿性が要求される屋内に設置される電子機器に対して、動作監視を行う電子機器監視システムでは、同電子機器から、その動作状態（たとえば、正常／異常、動作モードなど）を表す監視信号が出力され、同監視信号が監視装置に入力される。この場合、電子機器と監視装置とを電波又は赤外線を介して無線接続すると、監視信号は、遮蔽物に対する透過性が高いため、秘匿性が確保されないという問題点がある。このため、電子機器は、監視信号を伝送するためのメタルケーブル又は光ケーブルを介して、監視装置に有線接続される。
【０００３】
この種の電子機器監視システムは、たとえば図７に示すように、監視対象装置１に接続されているケーブル２と、電気／光変換部３と、光ケーブル４と、監視装置５とから構成されている。監視対象装置１は、たとえば防衛分野向けの通信機器など、秘匿性が要求される屋内に設置されている電子機器である。
この電子機器監視システムでは、監視対象装置１から、その動作状態（たとえば、正常／異常、動作モードなど）を表す監視信号ｄｓ（電気信号）が出力され、ケーブル２（メタルケーブル）を経て電気／光変換部３に入力されて光信号に変換され、光ケーブル４を経て監視装置５へ送出される。監視装置５により、監視対象装置１に対する動作監視が行われる。
【０００４】
上記の電子機器監視システムの他、この種の関連技術としては、たとえば、特許文献１に記載された光伝送システムがある。
この光伝送システムは、プラント内で遠隔制御若しくは遠隔監視を行う遠隔制御システムに適用されるもので、送信側と、受信側とを備えている。送信側では、レーザ光源により、複数のセンサ信号が個々に若しくはグルーピング化され、それぞれ波長の異なるレーザ光が出力され、拡散光学系により、同レーザ光が伝送空間に拡散送出される。受信側では、伝送空間を介して得られたレーザ光が、集光手段により受光位置に集光され、集光されたレーザ光が受光器で波長選択的に受光される。そして、コントローラにより、受光器で得られたセンサ信号に基づいて、遠隔制御若しくは遠隔監視が行われる。
【０００５】
また、特許文献２に記載された空間光伝送装置では、移動可能に設置された移動局と、定位置に設置された固定局との間で、空間に放射された光によりデータが双方向に伝送される。この場合、固定局には、通信ログを一定時間毎に継続して一時記憶するメモリが設けられている。また、固定局に対してネットワークを介して情報端末が接続され、情報端末は、障害発生時などに、固定局に対してアクセスし、メモリに記録された通信ログを読み出してディスプレイに表示する。
【先行技術文献】
【特許文献】
【０００６】
【特許文献１】特開２００１−２７４７５３号公報
【特許文献２】特開２００９−０７１３６８号公報
【発明の概要】
【発明が解決しようとする課題】
【０００７】
しかしながら、上記関連技術では、次のような課題があった。
すなわち、図７の電子機器監視システムでは、監視対象装置１にケーブル２を介して電気／光変換部３が接続されているので、監視信号ｄｓに対する秘匿性は確保されるが、同監視対象装置１を自由に移動できないという課題がある。また、ケーブル類の物理的な接続工事が必要となり、この電子機器監視システムの規模が大きくなれば、必然的に工事規模が大きくなるという課題がある。
【０００８】
また、特許文献１に記載された光伝送システムでは、受光器で得られたセンサ信号に基づいて、遠隔制御若しくは遠隔監視が行われるが、この発明とはハード構成や処理方法が異なり、秘匿性が要求される屋内で可搬性が確保されて用いられるものではない。
【０００９】
特許文献２に記載された空間光伝送装置では、作業者に負担をかけることなく、障害発生時点の通信ログが確実に収集されて、原因の究明が行われるが、この発明とはハード構成や処理方法が異なり、秘匿性が要求される屋内で可搬性が確保されて用いられるものではない。
【００１０】
この発明は、上述の事情に鑑みてなされたもので、秘匿性が要求される屋内に設置される電子機器の動作を監視する場合に、可搬性及び秘匿性が確保される電子機器監視システム及び該システムに用いられる電子機器監視方法を提供することを目的としている。
【課題を解決するための手段】
【００１１】
上記課題を解決するために、この発明の第１の構成は、電子機器に対して動作監視を行い、前記電子機器は、秘匿性が要求される屋内で用いられて該電子機器の動作状態を表す監視信号を出力する構成とされている電子機器監視システムに係り、前記電子機器から出力される前記監視信号を、該監視信号に含まれる情報の種類に対応して色の異なる複数の可視光に変換して前記屋内の空間に伝送させ、伝送された前記各可視光を受光して受光出力信号に変換して出力する光空間伝送手段と、該光空間伝送手段から出力される前記受光出力信号に基づいて、前記電子機器に対する動作監視を行う監視装置とから構成されていることを特徴としている。
【００１２】
この発明の第２の構成は、電子機器に対して動作監視を行い、前記電子機器は、秘匿性が要求される屋内で用いられて該電子機器の動作状態を表す監視信号を出力する構成とされている電子機器監視システムに用いられる電子機器監視方法に係り、光空間伝送手段が、前記電子機器から出力される前記監視信号を、該監視信号に含まれる情報の種類に対応して色の異なる複数の可視光に変換して前記屋内の空間に伝送させ、伝送された前記各可視光を受光して受光出力信号に変換して出力する光空間伝送処理と、監視装置が、前記光空間伝送手段から出力される前記受光出力信号に基づいて、前記電子機器に対する動作監視を行う監視処理とを行うことを特徴としている。
【発明の効果】
【００１３】
この発明の構成によれば、秘匿性が要求される屋内に設置される電子機器の動作を監視する場合に、可搬性及び秘匿性を確保することができる。
【図面の簡単な説明】
【００１４】
【図１】この発明の一実施形態である電子機器監視システムの要部の電気的構成を示すブロック図である。
【図２】図１中の光送信ユニット１０の電気的構成を示す回路図である。
【図３】図２中の駆動部１１の電気的構成を示す回路図である。
【図４】図１中の光受信ユニット２０の構成を示す図である。
【図５】図４中の電気／光変換部２２の電気的構成を示す回路図である。
【図６】図１の電子機器監視システムの動作を説明するタイムチャートである。
【図７】関連技術に係る電子機器監視システムの電気的構成を示すブロック図である。
【発明を実施するための形態】
【００１５】
上記光空間伝送手段（光送信ユニット、光受信ユニット）は、上記電子機器（監視対象装置）に取り付けられ、同電子機器から出力される上記監視信号を上記複数の可視光に変換して上記屋内の空間に伝送させる光信号送信部と、伝送された上記各可視光を受光して上記受光出力信号に変換して出力する光信号受信部（光受信ユニット）とから構成されている電子機器監視システムを実現する。
【００１６】
また、上記光信号送信部（光送信ユニット）は、上記監視信号に基づいて駆動信号を出力する駆動部と、同駆動部から出力される上記駆動信号に基づいて上記複数の可視光を発光して上記屋内の空間に伝送させる発光部とから構成され、上記光信号受信部（光受信ユニット）は、上記屋内の空間に伝送された上記各可視光を受光して各受光電気信号に変換して出力する受光部と、同受光部から出力される上記各受光電気信号を上記受光出力信号に変換する信号変換部（電気／光変換部）とから構成されている。
【００１７】
また、上記駆動部は、上記監視信号が１つのシリアルデータの場合にパラレルデータに変換するシリアル／パラレル変換回路と、上記監視信号が１つのシリアルデータの場合に上記シリアル／パラレル変換回路で変換された上記パラレルデータを入力する一方、上記監視信号が複数の独立したシリアルデータの場合にそのまま入力して複数の上記駆動信号を出力する発光素子駆動回路（ＬＥＤドライブ回路）とから構成され、上記発光部は、同発光素子駆動回路から出力される上記各駆動信号に基づいて上記各可視光をそれぞれ発光する複数の発光素子（ＬＥＤ）から構成されている。
【００１８】
また、上記受光部は、上記各可視光を受光して上記各受光電気信号に変換して出力する複数の受光素子を有し、上記信号変換部は、上記各受光素子から出力される上記各受光電気信号に対して所定の増幅を行って各出力電気信号を出力する増幅部（増幅回路）と、同増幅部から出力される上記各出力電気信号をパラレルからシリアルに変換してシリアル出力信号を出力するパラレル／シリアル変換回路と、上記増幅部から出力される上記各出力電気信号を時分割で多重化して多重化出力信号を出力するマルチプレクサ回路と、上記監視信号が１つのシリアルデータの場合に上記シリアル出力信号を選択する一方、上記監視信号が複数の独立したシリアルデータの場合に上記多重化出力信号を選択して出力する選択部（スイッチ）とから構成されている。
【００１９】
また、上記信号変換部は、上記選択部（スイッチ）から出力される上記シリアル出力信号又は上記多重化出力信号を電気信号から光信号に変換して上記受光出力信号として出力する電気／光変換回路（Ｅ／Ｏ変換回路）を有し、上記監視装置は、上記電気／光変換回路から出力される上記受光出力信号を入力する構成とされている。
【実施形態】
【００２０】
図１は、この発明の一実施形態である電子機器監視システムの要部の電気的構成を示すブロック図である。
この形態の電子機器監視システムは、同図に示すように、監視対象装置１に接続されているケーブル１ａと、光送信ユニット１０と、光受信ユニット２０と、光ケーブル２３と、監視装置３０とから構成されている。監視対象装置１は、たとえば防衛分野向けの通信機器など、秘匿性が要求される屋内で用いられる電子機器であり、その動作状態（たとえば、正常／異常、動作モードなど）を表す監視信号ｄｓ（電気信号）を出力する。ケーブル１ａは、メタルケーブルで構成され、監視信号ｄｓを光送信ユニット１０へ伝送する。
【００２１】
光送信ユニット１０は、監視対象装置１に外付けされ、同監視対象装置１からケーブル１ａを経て伝送される監視信号ｄｓを、同監視信号ｄｓに含まれる情報の種類に対応して色の異なる複数の可視光ｄｐに変換して上記屋内の空間に伝送させる。特に、この実施形態では、光送信ユニット１０は、駆動部１１と、発光部１２とから構成されている。駆動部１１は、監視信号ｄｓに基づいて駆動信号ｄｍを出力する。発光部１２は、駆動部１１から出力される駆動信号ｄｍに基づいて複数の可視光ｄｐを発光して屋内の空間に伝送させる。
【００２２】
光受信ユニット２０は、光送信ユニット１０の可視光ｄｐの光軸上に位置し、伝送された各可視光ｄｐを受光して受光出力信号ｐｓに変換して出力する。特に、この実施形態では、光受信ユニット２０は、受光部２１と、電気／光変換部２２とから構成されている。受光部２１は、屋内の空間に伝送された各可視光ｄｐを受光して各受光電気信号ｅｒに変換して出力する。電気／光変換部２２は、受光部２１から出力される受光電気信号ｅｒを受光出力信号ｐｓに変換する。光ケーブル２３は、受光出力信号ｐｓを監視装置３０へ伝送する。監視装置３０は、伝送される受光出力信号ｐｓに基づいて、監視対象装置１に対する動作監視を行う。
【００２３】
図２は、図１中の光送信ユニット１０の電気的構成を示す回路図である。
この光送信ユニット１０は、図２に示すように、駆動部１１と、発光部１２とから構成されている。駆動部１１は、監視信号ｄｓに基づいて、駆動信号ｄｍとして、駆動信号ｄｒ，ｄｇ，ｄｂを出力する。発光部１２は、ＬＥＤ（Light Emitting Diode、発光ダイオード）（Ｒ、赤）４１と、ＬＥＤ（Ｇ、緑）４２と、ＬＥＤ（Ｂ、青）４３とを有している。ＬＥＤ（Ｒ）４１は、駆動信号ｄｒに基づいて、赤色光ｒｐ（可視光）を発光する。ＬＥＤ（Ｇ）４２は、駆動信号ｄｇに基づいて、緑色光ｇｐ（可視光）を発光する。ＬＥＤ（Ｂ）４３は、駆動信号ｄｂに基づいて、青色光ｂｐ（可視光）を発光する。
【００２４】
図３は、図２中の駆動部１１の電気的構成を示す回路図である。
この駆動部１１は、図３に示すように、シリアル／パラレル変換回路５１と、ＬＥＤドライブ回路５２とから構成されている。シリアル／パラレル変換回路５１は、監視対象装置１から出力される監視信号ｄｓが、複数のデータがシリアルで伝送される１つのシリアルデータ（入力［１］）の場合に、複数のデータがパラレルで伝送されるパラレルデータに変換する。ＬＥＤドライブ回路５２は、監視信号ｄｓが上記１つのシリアルデータ（入力［１］）の場合に、シリアル／パラレル変換回路５１で変換された上記パラレルデータを入力する一方、監視信号ｄｓが複数の独立したシリアルデータ（監視信号Ａ，Ｂ，Ｃ）（入力［２］）の場合に、そのまま入力して駆動信号ｄｍ（駆動信号ｄｒ，ｄｇ，ｄｂ）を出力する。
【００２５】
図４は、図１中の光受信ユニット２０の構成を示す図である。
この光受信ユニット２０は、図４に示すように、受光部２１と、電気／光変換部２２とから構成されている。受光部２１は、フィルタ（Ｒ）６１と、フィルタ（Ｇ）６２と、フィルタ（Ｂ）６３と、ＰＤ（フォトダイオード）（Ｒ）６４と、ＰＤ（Ｇ）６５と、ＰＤ（Ｂ）６６とから構成されている。フィルタ（Ｒ）６１は、ＬＥＤ（Ｒ）４１から発される赤色光ｒｐの波長に合わせた光学フィルタであり、赤色光ｒｐを透過させる。フィルタ（Ｇ）６２は、緑色光ｇｐ（可視光）を透過させる。フィルタ（Ｂ）６３は、青色光ｂｐ（可視光）を透過させる。ＰＤ（Ｒ）６４は、フィルタ（Ｒ）６１を透過した赤色光ｒｐを受光して受光電気信号ｒａに変換して出力する。ＰＤ（Ｇ）６５は、フィルタ（Ｇ）６２を透過した緑色光ｇｐを受光して受光電気信号ｇａに変換して出力する。ＰＤ（Ｂ）６６は、フィルタ（Ｂ）６３を透過した青色光ｂｐを受光して受光電気信号ｂａに変換して出力する。電気／光変換部２２は、受光電気信号ｅｒとして受光電気信号ｒａ，ｇａ，ｂａを入力し、受光出力信号ｐｓ（光信号）に変換して光ケーブル２３へ送出する。
【００２６】
図５は、図４中の電気／光変換部２２の電気的構成を示す回路図である。
この電気／光変換部２２は、図５に示すように、増幅回路７１と、パラレル／シリアル変換回路７２と、マルチプレクサ回路７３と、スイッチ７４と、Ｅ／Ｏ変換回路（電気／光変換回路）７５とから構成されている。増幅回路７１は、受光電気信号ｒａ，ｇａ，ｂａに対して所定の増幅を行って出力電気信号ｒｈ，ｇｈ，ｂｈを出力する。パラレル／シリアル変換回路７２は、増幅回路７１から出力される出力電気信号ｒｈ，ｇｈ，ｂｈをパラレルからシリアルに変換してシリアル出力信号ｓｓを出力する。マルチプレクサ回路７３は、増幅回路７１から出力される出力電気信号ｒｈ，ｇｈ，ｂｈを時分割で多重化して多重化出力信号ｍｓを出力する。
【００２７】
スイッチ７４は、監視信号ｄｓが、複数のデータがシリアルで伝送される１つのシリアルデータの場合に、コモンｃが接点ｎ１に接続されてシリアル出力信号ｓｓを選択する一方、監視信号ｄｓが、複数の独立したシリアルデータ（すなわち、監視信号Ａ，Ｂ，Ｃ）の場合にコモンｃが接点ｎ２に接続されて多重化出力信号ｍｓを選択して出力するように操作される。Ｅ／Ｏ変換回路７５は、スイッチ７４から出力されるシリアル出力信号ｓｓ又は多重化出力信号ｍｓを電気信号から光信号に変換して受光出力信号ｐｓ（光信号）として出力する。この場合、監視装置３０は、Ｅ／Ｏ変換回路７５から出力される受光出力信号ｐｓ（光信号）を入力する構成とされている。
【００２８】
図６は、図１の電子機器監視システムの動作を説明するタイムチャートである。
この図を参照して、この形態の電子機器監視システムに用いられる電子機器監視方法の処理内容について説明する。
この電子機器監視システムでは、光空間伝送手段（光送信ユニット１０、光受信ユニット２０）により、監視対象装置１から出力される監視信号ｄｓが、同監視信号ｄｓに含まれる情報の種類に対応して色の異なる複数の可視光ｄｐに変換されて屋内の空間に伝送させ、伝送された各可視光ｄｐが受光されて受光出力信号ｐｓに変換されて出力される（光空間伝送処理）。そして、監視装置３０により、上記光空間伝送手段から出力される受光出力信号ｐｓに基づいて、監視対象装置１に対する動作監視が行われる（監視処理）。
【００２９】
この場合、監視対象装置１から監視信号ｄｓ（デジタル信号）が駆動部１１に送られると、図６に示すように、同駆動部１１が、監視信号ｄｓの論理値（“０”／“１”）に合わせて発光部１２の発光素子、すなわちＬＥＤ（Ｒ）４１、ＬＥＤ（Ｇ）４２及びＬＥＤ（Ｂ）４３をオン／オフ（ＯＮ／ＯＦＦ）駆動する。上記発光素子がオン／オフ駆動されることで、同発光素子から放出される可視光ｄｐが点滅を繰り返し、この光（点滅情報）が屋内の空間を経て受光部２１に送られる。受光部２１では、可視光ｄｐの点滅に合わせて、受光素子、すなわち、ＰＤ（Ｒ）６４、ＰＤ（Ｇ）６５及びＰＤ（Ｂ）６６から受光電気信号ｅｒ（受光電気信号ｒａ，ｇａ，ｂａ）が出力される。受光電気信号ｅｒは、電気／光変換部２２にて受光出力信号ｐｓ（光信号）に変換され、光ケーブル２３を経て監視装置３０に送られる。
【００３０】
すなわち、上記光空間伝送処理では、監視対象装置１に外付けされた光送信ユニット１０により、同監視対象装置１から出力される監視信号ｄｓが、色の異なる前記複数の可視光ｄｐに変換されて屋内の空間に伝送される（光信号送信処理）。光受信ユニット２０により、伝送された各可視光ｄｐが受光されて受光出力信号ｐｓに変換されて出力される（光信号受信処理）。この場合、上記光信号送信処理では、駆動部１１により、監視対象装置１から出力される監視信号ｄｓに基づいて駆動信号ｄｍが出力され（駆動処理）、発光部１２により、駆動部１１から出力される駆動信号ｄｍに基づいて複数の可視光ｄｐを発光して屋内の空間に伝送させる（発光伝送処理）。また、上記光信号受信処理では、受光部２１により、屋内の空間に伝送された各可視光ｄｐが受光されて受光電気信号ｅｒに変換されて出力される（受光処理）。電気／光変換部２２により、受光部２１から出力される受光電気信号ｅｒが受光出力信号ｐｓに変換される（信号変換処理）。
【００３１】
上記駆動処理では、シリアル／パラレル変換回路５１により、監視対象装置１から出力される監視信号ｄｓが、複数のデータがシリアルで伝送される１つのシリアルデータの場合に、複数のデータがパラレルで伝送されるパラレルデータに変換される（シリアル／パラレル変換処理）。ＬＥＤドライブ回路５２により、監視信号ｄｓが、上記１つのシリアルデータの場合にシリアル／パラレル変換回路５１で変換されたパラレルデータが入力される一方、監視信号ｄｓが複数の独立したシリアルデータ（監視信号Ａ，Ｂ，Ｃ）の場合に、そのまま入力されて駆動信号ｄｍが出力される（発光素子駆動処理）。上記発光伝送処理では、複数の発光素子（ＬＥＤ（Ｒ）４１、ＬＥＤ（Ｇ）４２及びＬＥＤ（Ｂ）４３）により、ＬＥＤドライブ回路５２から出力される駆動信号ｄｍに基づいて可視光ｄｐが発光される。
【００３２】
上記信号変換処理では、増幅回路７１により、各受光素子（ＰＤ（Ｒ）６４、ＰＤ（Ｇ）６５及びＰＤ（Ｂ）６６）から出力される受光電気信号ｅｒ（受光電気信号ｒａ，ｇａ，ｂａ）に対して所定の増幅が行われて出力電気信号ｒｈ，ｇｈ，ｂｈが出力される（増幅処理）。パラレル／シリアル変換回路７２により、増幅回路７１から出力される出力電気信号ｒｈ，ｇｈ，ｂｈがパラレルからシリアルに変換されてシリアル出力信号ｓｓが出力される（パラレル／シリアル変換処理）。マルチプレクサ回路７３により、増幅回路７１から出力される出力電気信号ｒｈ，ｇｈ，ｂｈが時分割で多重化されて多重化出力信号ｍｓが出力される（多重化処理）。スイッチ７４により、監視信号ｄｓが上記１つのシリアルデータの場合にシリアル出力信号ｓｓが選択される一方、監視信号ｄｓが複数の独立したシリアルデータ（監視信号Ａ，Ｂ，Ｃ）の場合に多重化出力信号ｍｓが選択されて出力される（選択処理）。Ｅ／Ｏ変換回路７５により、スイッチ７４から出力されるシリアル出力信号ｓｓ又は多重化出力信号ｍｓが電気信号から光信号に変換されて受光出力信号ｐｓとして出力される（電気／光変換処理）。監視装置３０により、Ｅ／Ｏ変換回路７５から出力される受光出力信号ｐｓが入力され、監視対象装置１に対する動作監視が行われる。
【００３３】
以上のように、この実施形態では、監視対象装置１に外付けされた光送信ユニット１０により、同監視対象装置１から出力される監視信号ｄｓが、同監視信号ｄｓに含まれる情報の種類に対応して色の異なる複数の可視光ｄｐに変換されて屋内の空間に伝送され、伝送された各可視光ｄｐが光受信ユニット２０により受光されて受光出力信号ｐｓに変換されて出力されるので、同監視対象装置１に接続するケーブル類の引き回しが不要となり、同監視対象装置１の可搬性が高められ、また、各色の信号を組み合わせたパラレル伝送及び色毎に独立したシリアル伝送が行われ、応用範囲が広げられる。また、監視信号ｄｓが可視光ｄｐに変換されて屋内の空間に伝送されるので、遮蔽が容易であるだけでなく、その照射範囲が目視にて確認されるため、秘匿性を確保した無線伝送が行われる。
【００３４】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、図４中の受光素子として、ＰＤ（Ｒ）６４、ＰＤ（Ｇ）６５及びＰＤ（Ｂ）６６に代えて、２次元イメージセンサ（カラー撮像用）を用いても良い。この場合、光学フィルタは使用せず、イメージセンサの前部に光学レンズを取り付けて、同イメージセンサの撮像面での焦点合わせを可能としたカメラ構造とする。また、発光素子として使用する発光ダイオード（ＬＥＤ）については、３色（Ｒ，Ｇ，Ｂ）のＬＥＤを一体化した３色ＬＥＤ（フルカラーＬＥＤ）で構成しても良い。また、受光部２１に使用するフォトダイオード（ＰＤ）と光学フィルタについては、３色（Ｒ，Ｇ，Ｂ）のフォトダイオードを一体化したカラーセンサで構成しても良い。また、監視装置３０は、受光出力信号として電気信号を入力する構成としても良い。この場合、図５中のＥ／Ｏ変換回路７５が削除される。
【００３５】
上記の実施形態の一部又は全部は、以下の付記のようにも記載されうるが、以下には限定されない。
【００３６】
（付記１）
電子機器に対して動作監視を行い、前記電子機器は、秘匿性が要求される屋内で用いられて該電子機器の動作状態を表す監視信号を出力する構成とされている電子機器監視システムであって、
前記電子機器から出力される前記監視信号を、該監視信号に含まれる情報の種類に対応して色の異なる複数の可視光に変換して前記屋内の空間に伝送させ、伝送された前記各可視光を受光して受光出力信号に変換して出力する光空間伝送手段と、
該光空間伝送手段から出力される前記受光出力信号に基づいて、前記電子機器に対する動作監視を行う監視装置とから構成されている電子機器監視システム。
【００３７】
（付記２）
前記光空間伝送手段は、
前記電子機器に取り付けられ、該電子機器から出力される前記監視信号を前記複数の可視光に変換して前記屋内の空間に伝送させる光信号送信部と、
伝送された前記各可視光を受光して前記受光出力信号に変換して出力する光信号受信部とから構成されている付記１記載の電子機器監視システム。
【００３８】
（付記３）
前記光信号送信部は、
前記監視信号に基づいて駆動信号を出力する駆動部と、
該駆動部から出力される前記駆動信号に基づいて前記複数の可視光を発光して前記屋内の空間に伝送させる発光部とから構成され、
前記光信号受信部は、
前記屋内の空間に伝送された前記各可視光を受光して各受光電気信号に変換して出力する受光部と、
該受光部から出力される前記各受光電気信号を前記受光出力信号に変換する信号変換部とから構成されている付記２記載の電子機器監視システム。
【００３９】
（付記４）
前記駆動部は、
前記監視信号が１つのシリアルデータの場合にパラレルデータに変換するシリアル／パラレル変換回路と、
前記監視信号が１つのシリアルデータの場合に前記シリアル／パラレル変換回路で変換された前記パラレルデータを入力する一方、前記監視信号が複数の独立したシリアルデータの場合にそのまま入力して複数の前記駆動信号を出力する発光素子駆動回路とから構成され、
前記発光部は、
該発光素子駆動回路から出力される前記各駆動信号に基づいて前記各可視光をそれぞれ発光する複数の発光素子から構成されている付記３記載の電子機器監視システム。
【００４０】
（付記５）
前記受光部は、
前記各可視光を受光して前記各受光電気信号に変換して出力する複数の受光素子を有し、
前記信号変換部は、
前記各受光素子から出力される前記各受光電気信号に対して所定の増幅を行って各出力電気信号を出力する増幅部と、
該増幅部から出力される前記各出力電気信号をパラレルからシリアルに変換してシリアル出力信号を出力するパラレル／シリアル変換回路と、
前記増幅部から出力される前記各出力電気信号を時分割で多重化して多重化出力信号を出力するマルチプレクサ回路と、
前記監視信号が１つのシリアルデータの場合に前記シリアル出力信号を選択する一方、前記監視信号が複数の独立したシリアルデータの場合に前記多重化出力信号を選択して出力する選択部とから構成されている付記３又は４記載の電子機器監視システム。
【００４１】
（付記６）
前記信号変換部は、
前記選択部から出力される前記シリアル出力信号又は前記多重化出力信号を電気信号から光信号に変換して前記受光出力信号として出力する電気／光変換回路を有し、
前記監視装置は、
前記電気／光変換回路から出力される前記受光出力信号を入力する構成とされている付記５記載の電子機器監視システム。
【００４２】
（付記７）
電子機器に対して動作監視を行い、前記電子機器は、秘匿性が要求される屋内で用いられて該電子機器の動作状態を表す監視信号を出力する構成とされている電子機器監視システムに用いられる電子機器監視方法であって、
光空間伝送手段が、前記電子機器から出力される前記監視信号を、該監視信号に含まれる情報の種類に対応して色の異なる複数の可視光に変換して前記屋内の空間に伝送させ、伝送された前記各可視光を受光して受光出力信号に変換して出力する光空間伝送処理と、
監視装置が、前記光空間伝送手段から出力される前記受光出力信号に基づいて、前記電子機器に対する動作監視を行う監視処理とを行う電子機器監視方法。
【００４３】
（付記８）
前記光空間伝送処理では、
前記電子機器に取り付けられた光信号送信部が、前記電子機器から出力される前記監視信号を前記複数の可視光に変換して前記屋内の空間に伝送させる光信号送信処理と、
光信号受信部が、伝送された前記各可視光を受光して前記受光出力信号に変換して出力する光信号受信処理とを行う付記７記載の電子機器監視方法。
【００４４】
（付記９）
前記光信号送信処理では、
駆動部が、前記監視信号に基づいて駆動信号を出力する駆動処理と、
発光部が、前記駆動部から出力される前記駆動信号に基づいて前記複数の可視光を発光して前記屋内の空間に伝送させる発光伝送処理とを行い、
前記光信号受信処理では、
受光部が、前記屋内の空間に伝送された前記各可視光を受光して各受光電気信号に変換して出力する受光処理と、
信号変換部が、前記受光部から出力される前記各受光電気信号を前記受光出力信号に変換する信号変換処理とを行う付記８記載の電子機器監視方法。
【００４５】
（付記１０）
前記駆動処理では、
シリアル／パラレル変換回路が、前記監視信号が１つのシリアルデータの場合にパラレルデータに変換するシリアル／パラレル変換処理と、
発光素子駆動回路が、前記監視信号が１つのシリアルデータの場合に前記シリアル／パラレル変換回路で変換された前記パラレルデータを入力する一方、前記監視信号が複数の独立したシリアルデータの場合にそのまま入力して複数の前記駆動信号を出力する発光素子駆動処理とを行い、
前記発光伝送処理では、
複数の発光素子が、前記発光素子駆動回路から出力される前記各駆動信号に基づいて前記各可視光をそれぞれ発光する付記９記載の電子機器監視方法。
【００４６】
（付記１１）
前記受光部は、前記各可視光を受光して前記各受光電気信号に変換して出力する複数の受光素子を有し、
前記信号変換処理では、
増幅部が、前記各受光素子から出力される前記各受光電気信号に対して所定の増幅を行って各出力電気信号を出力する増幅処理と、
パラレル／シリアル変換回路が、前記増幅部から出力される前記各出力電気信号をパラレルからシリアルに変換してシリアル出力信号を出力するパラレル／シリアル変換処理と、
マルチプレクサ回路が、前記増幅部から出力される前記各出力電気信号を時分割で多重化して多重化出力信号を出力する多重化処理と、
選択部が、前記監視信号が１つのシリアルデータの場合に前記シリアル出力信号を選択する一方、前記監視信号が複数の独立したシリアルデータの場合に前記多重化出力信号を選択して出力する選択処理とを行う付記９又は１０記載の電子機器監視方法。
【００４７】
（付記１２）
前記信号変換処理では、
電気／光変換回路が、前記選択部から出力される前記シリアル出力信号又は前記多重化出力信号を電気信号から光信号に変換して前記受光出力信号として出力する電気／光変換処理を行い、
前記監視装置が、前記電気／光変換回路から出力される前記受光出力信号を入力する付記１１記載の電子機器監視方法。
【産業上の利用可能性】
【００４８】
この発明は、秘匿性が要求される屋内に設置される電子機器の動作を監視する電子機器監視システム全般に適用できる。
【符号の説明】
【００４９】
１      監視対象装置（電子機器）
１０      光送信ユニット（光空間伝送手段の一部、光信号送信部）
１１      駆動部（光信号送信部の一部）
１２      発光部（光信号送信部の一部）
２０      光受信ユニット（光空間伝送手段の一部、光信号受信部）
２１      受光部（光信号受信部の一部）
２２      電気／光変換部（光信号受信部の一部、信号変換部）
３０      監視装置
４１，４２，４３      ＬＥＤ（発光部、発光素子）
５１      シリアル／パラレル変換回路（駆動部の一部）
５２      ＬＥＤドライブ回路（発光素子駆動回路）
６１，６２，６３      フィルタ
６４，６５，６６      ＰＤ（フォトダイオード）（受光部、受光素子）
７１      増幅回路（信号変換部の一部、増幅部）
７２      パラレル／シリアル変換回路（信号変換部の一部）
７３      マルチプレクサ回路（信号変換部の一部）
７４      スイッチ（信号変換部の一部、選択部）
７５      Ｅ／Ｏ変換回路（電気／光変換回路）（信号変換部の一部）
【図１】
0005765773.tif 000002
【図２】
0005765773.tif 000003
【図３】
0005765773.tif 000004
【図４】
0005765773.tif 000005
【図５】
0005765773.tif 000006
【図６】
0005765773.tif 000007
【図７】
0005765773.tif 000008